(57)【要約】【課題】  コネクタの取付を容易にすると共に、メンテナンスの作業性も向上させることができ、小型化も図る。【解決手段】  ブラケット１０は、ブランケットフランジ１１を介して車体等の支持面に固定され、ブランケットフランジ１１から立ち上がる本体部１３に取付面１２を有する。この取付面１２にコネクタ２０が前面から取り付けられる。取付面１２には、コネクタ２０が嵌合する、一端が開放された嵌合孔１４が形成されている。コネクタ２０は、先端部が相手方コネクタと結合され基端部にワイヤーハーネス２３が接続されるコネクタ本体部２４と、このコネクタ本体部２４の側面にコネクタ結合方向と直交する面に沿って張り出すコネクタフランジ２１と、コネクタ本体部２４の基端側の側面に設けられてブラケット１０へのコネクタ２０の取付時にブラケット１０の嵌合孔１４と係合する弾性係合片２２とを備えて構成されている。【選択図】  図１
2006156273.tif 000002
【特許請求の範囲】
【請求項１】
支持面に固定されたブラケットと、このブラケットに取り付けられるコネクタとを有するコネクタ取付構造において、
前記ブラケットは、
前記支持面に固定されるブラケットフランジと、
このブラケットフランジから前記コネクタの基端部が収容可能な高さだけ立ち上がり、前記コネクタが前面から取り付けられる取付面を有すると共に、前記取付面に前記コネクタの基端部とこの基端側から延びるワイヤーハーネスを収容可能な一端を開放した嵌合部を形成してなる本体部とを有し、
前記コネクタは、
先端部が相手方コネクタと結合され基端部にワイヤーハーネスが接続されるコネクタ本体部と、
このコネクタ本体部の側面にコネクタ結合方向と直交する面に沿って張り出して前記ブラケットへの取付時に前記取付面に当接するコネクタフランジと、
前記コネクタ本体部の前記コネクタフランジよりも基端側の側面に設けられて前記ブラケットへの前記コネクタの取付時に前記ブラケットと係合する係合部と
を備えたものである
ことを特徴とするコネクタ取付構造。
【請求項２】
支持面に固定されてコネクタが取り付けられるブラケットであって、
前記支持面に固定されるフランジと、
このフランジから前記コネクタの基端部が収容可能な高さだけ立ち上がり、前記コネクタが前面から取り付けられる取付面を有すると共に、前記取付面に前記コネクタの基端部とこの基端側から延びるワイヤーハーネスを収容可能な一端を開放した嵌合部を形成してなる本体部と
を備えたことを特徴とするコネクタ取付用のブラケット。
【請求項３】
前記嵌合部は、前記取付面に形成された一端が開放された嵌合孔であることを特徴とする請求項２記載のコネクタ取付用のブラケット。
【請求項４】
前記嵌合部は、前記取付面に形成された一端が開放された凹部であることを特徴とする請求項２記載のコネクタ取付用のブラケット。
【発明の詳細な説明】
【技術分野】
【０００１】
本発明は、車体等に取り付けられるコネクタ取付構造及びそれに用いるブラケットに関する。
【背景技術】
【０００２】
車体等にワイヤーハーネスのコネクタを取り付けるためのコネクタ取付構造としては、例えばパネル等の支持体にコネクタの取付孔を形成し、コネクタの先端部分をこの取付孔に係合させてコネクタを支持体に取り付けるようにするのが一般的である（特許文献１）。
【０００３】
この場合、コネクタは、パネルの裏側から取付孔に挿通させなければならないため、パネルの裏側に作業者の手が入らないような構造においては、取付作業が困難を極めるという問題がある。
【０００４】
そこで、パネル等の支持体と、これにコネクタを取り付けるためのブラケットの双方に形成された取付孔の一端を開放すると共に、開放端を互いに異なる向きとすることにより、コネクタをパネル前面から取り付けることを可能にしたコネクタ取付構造も知られている（特許文献２）。
【特許文献１】特開平１０−１２９２９９号公報、段落００３４、図１６〜図１８
【特許文献２】実開平１−７９２８５号公報、第１図
【発明の開示】
【発明が解決しようとする課題】
【０００５】
しかし、上述した従来のコネクタ取付構造では、コネクタを取り替えるためには、ブラケットもパネルから取り外さなければならない。このため、メンテナンスの作業性に欠けるという問題がある。
【０００６】
ブラケットを支持面に取り付けたままでコネクタをブラケットに形成された嵌合孔に取り付けるためには、ブラケットの取付面の支持面からの高さがコネクタの高さ以上でなければならず、ブラケットの大型化を招き、自動車等に適用した場合、その居住スペースを圧迫する。また、ブラケットの高さが高いと、高さ方向の荷重に対して変形しやすいという問題もある。
【０００７】
本発明は、このような点に鑑みてなされたもので、コネクタの取付を容易にすると共に、メンテナンスの作業性も向上させることができ、しかも小型化を図ることができるコネクタ取付構造及びそれに用いるブランケットを提供することを目的とする。
【課題を解決するための手段】
【０００８】
本発明に係るコネクタ取付構造は、支持面に固定されたブラケットと、このブラケットに取り付けられるコネクタとを有するコネクタ取付構造において、前記ブラケットが、前記支持面に固定されるブラケットフランジと、このブラケットフランジから前記コネクタの基端部が収容可能な高さだけ立ち上がり、前記コネクタが前面から取り付けられる取付面を有すると共に、前記取付面に前記コネクタの基端部とこの基端側から延びるワイヤーハーネスを収容可能な一端を開放した嵌合部を形成してなる本体部とを有し、前記コネクタが、先端部が相手方コネクタと結合され基端部にワイヤーハーネスが接続されるコネクタ本体部と、このコネクタ本体部の側面にコネクタ結合方向と直交する面に沿って張り出して前記ブラケットへの取付時に前記取付面に当接するコネクタフランジと、前記コネクタ本体部の前記コネクタフランジよりも基端側の側面に設けられて前記ブラケットへの前記コネクタの取付時に前記ブラケットと係合する係合部とを備えたものであることを特徴とする。
【０００９】
また、本発明に係るコネクタ取付用のブラケットは、支持面に固定されてコネクタが取り付けられるものであって、前記支持面に固定されるフランジと、このフランジから前記コネクタの基端部が収容可能な高さだけ立ち上がり、前記コネクタが前面から取り付けられる取付面を有すると共に、前記取付面に前記コネクタの基端部とこの基端側から延びるワイヤーハーネスを収容可能な一端を開放した嵌合部を形成してなる本体部とを備えたことを特徴とする。
【００１０】
なお、前記嵌合部は、前記取付面に形成された一端が開放された嵌合孔でも良いし、前記取付面に形成された一端が開放された凹部でも良い。
【発明の効果】
【００１１】
本発明によれば、ブラケットの取付面の前面からコネクタを取り付けることが可能になり、組み立て作業が簡単になる。しかも、コネクタの取り替え、修理などのメンテナンス時でも、ブラケット自体は、支持面から取り外す必要はなく、コネクタのみを前面から取り外す事ができるので、メンテナンス作業性も向上させることができ、しかも高さ方向の寸法を短くすることができる。
【発明を実施するための最良の形態】
【００１２】
以下、添付の図面を参照して、本発明の実施の形態を説明する。
【００１３】
図１は、本発明の第１の実施形態に係るコネクタ取付構造の分解状態の斜視図、図２は、同取付状態での斜視図である。
【００１４】
ブラケット１０は、ブランケットフランジ１１を介して車体等の支持面に固定され、ブランケットフランジ１１から立ち上がる本体部１３に取付面１２を有する。この取付面１２にコネクタ２０が前面から取り付けられる。この実施形態では、コネクタ２０が嵌合される嵌合部として、取付面１２にコネクタ２０が嵌合する嵌合孔１４を形成し、この嵌合孔１４が切り欠き１５によって一端が開放されている。
【００１５】
一方、コネクタ２０は、先端部が図示しない相手方コネクタと結合され基端部にワイヤーハーネス２３が接続されるコネクタ本体部２４と、このコネクタ本体部２４の側面にコネクタ結合方向と直交する面に沿って張り出すコネクタフランジ２１と、コネクタ本体部２４のコネクタフランジ２１よりも基端側の側面に設けられてブラケット１０へのコネクタ２０の取付時にブラケット１０の嵌合孔１４と係合する弾性係合片２２とを備えて構成されている。コネクタフランジ２１も切り欠き１５に対応する部分が開放されており、この部分にワイヤーハーネス２３をガイドするともに、その下側を保護するワイヤーカバー部２５が形成されている。
【００１６】
この構成によれば、切り欠き１５にコネクタ２０のワイヤーカバー部２５が嵌合するように、コネクタ２０を基端側からブラケットの嵌合孔１４に挿通していけば、ワイヤーハーネス２３はブラケット１０の切り欠き１５の部分を通過するので、コネクタ２０は、ブラケット１０の取付面１２の前面から取り付けることができる。嵌合時、コネクタ２０のフランジ２１がブラケット１０の取付面１２に当接し、コネクタ２０の側面の弾性係合片２２が嵌合孔１４の両サイドのエッジ１６と係合することにより、コネクタ２０とブラケット１０とが結合される。
【００１７】
この実施形態によれば、コネクタ２０をブラケット１０の前面から取り付けることができるので、ブラケット１０を支持面に固定したままでの取り付け、取り外しが容易になり、組み付け及びメンテナンス作業性が向上する。また、ブラケット１０の高さを低くすることかできるので、全体の小型化を図ることができ、強度も高めることができる。
【００１８】
なお、ブラケット１０の本体部１３の非開放側の縁部を断面Ｌ字形に折り曲げてリブ１７を形成することにより、一端が開放されたブラケット１０であっても、十分な強度を確保することができ、ブラケット１０を変形し難くすることが可能である。
【００１９】
図３は、本発明の第２の実施形態に係るブラケット１０′の斜視図である。この実施形態では、取付面１２に一端側を開放した凹部１８を形成しており、この凹部１８がコネクタとの嵌合部を形成している。コネクタ２０の弾性係合片２２は、凹部１８の両サイドに形成された孔部１９と係合する。この孔部１９は、段差でも良い。
【００２０】
この構造によれば、先の実施形態よりも更に十分な強度を確保することができ、ブラケット１０′がより変形し難い構造となっている。
【図面の簡単な説明】
【００２１】
【図１】本発明の第１の実施形態に係るコネクタの取付構造の分解斜視図である。
【図２】同取付構造の取付時の外観斜視図である。
【図３】本発明の第２の実施形態に係るコネクタの取付構造で用いられるブラケットの斜視図である。
【符号の説明】
【００２２】
１０，１０′…ブラケット、１１…ブラケットフランジ、１２…取付面、１３…本体部、１４…嵌合孔、１５…切り欠き、１６…エッジ、１７…リブ、１８…凹部、１９…孔部、２０…コネクタ、２１…コネクタフランジ、２２…弾性係合片、２３…
ワイヤーハーネス、２４…本体部、２５…ワイヤーカバー部。
【図１】
2006156273.tif 000003
【図２】
2006156273.tif 000004
【図３】
2006156273.tif 000005